(57)【要約】【課題】カードの挿入口から挿入されたカードが非接触式のＩＣカードであるのか否かを容易に検知することが可能なカードリーダを提供する。【解決手段】ＩＣチップの外部接続端子２ｂが形成されるカード２を取込可能なカードリーダ１は、カード２の挿入口３から挿入されたカード２が移動するカード移動路６と、挿入口３から挿入されたカード２が通信用のアンテナ２ｃが内蔵される非接触式のＩＣカードであるのか否かを検知するためのシート状の静電容量センサ２０とを備えている。カード２の厚さ方向から見たときに外部接続端子２ｂが移動する領域を端子移動領域ＭＡとすると、カード２の幅方向における静電容量センサ２０の幅は、カード２の幅方向における外部接続端子２ｂの幅よりも広くなっており、カード２の厚さ方向から見たときに、静電容量センサ２０の、端子移動領域ＭＡと重なる部分の少なくとも一部に切欠き２０ａが形成されている。【選択図】図１
2020013442.tif 000002
【特許請求の範囲】
【請求項１】
一方の面にＩＣチップの外部接続端子が形成されるカードを取込可能なカードリーダにおいて、
前記カードの挿入口から挿入された前記カードが移動するカード移動路と、前記挿入口から挿入された前記カードが通信用のアンテナが内蔵される非接触式のＩＣカードであるのか否かを検知するためのシート状の静電容量センサとを備え、
前記カード移動路を移動する前記カードの移動方向と前記カードの厚さ方向とに直交する方向を前記カードの幅方向とし、前記カードの厚さ方向から見たときに前記外部接続端子が移動する領域を端子移動領域とすると、
前記カードの幅方向における前記静電容量センサの幅は、前記カードの幅方向における前記外部接続端子の幅よりも広くなっており、
前記カードの厚さ方向から見たときに、前記静電容量センサの、前記端子移動領域と重なる部分の少なくとも一部に切欠きが形成されていることを特徴とするカードリーダ。
【請求項２】
前記カード移動路を閉鎖するためのシャッタ部材と、前記シャッタ部材が前記カード移動路を閉鎖する閉位置と前記シャッタ部材が前記カード移動路から退避して前記カード移動路を開放する開位置との間で前記シャッタ部材を移動させるシャッタ駆動機構とを備え、
前記静電容量センサは、前記シャッタ部材よりも前記挿入口側に配置され、
前記カードリーダの制御部は、前記静電容量センサの検知結果に基づいて前記シャッタ駆動機構を制御することを特徴とする請求項１記載のカードリーダ。
【請求項３】
前記カード移動路の所定の位置に前記カードが到達したことを検知するためのカード検知機構を備え、
前記切欠きは、前記外部接続端子が形成された前記カードが前記カード検知機構で検知されるタイミングで前記カードの厚さ方向から見たときに前記外部接続端子が配置される位置に形成されるとともに、前記カードの厚さ方向において前記静電容量センサを貫通する穴であり、
前記カードの移動方向における前記静電容量センサの幅は、前記カードの移動方向における前記外部接続端子の幅よりも広くなっており、
前記カードの幅方向における前記切欠きの幅は、前記カードの幅方向における前記外部接続端子の幅以上となっており、
前記カードの移動方向における前記切欠きの幅は、前記カードの移動方向における前記外部接続端子の幅以上となっており、
前記カード検知機構で前記カードが検知されたときの前記静電容量センサの出力に基づいて、前記挿入口から挿入された前記カードが非接触式のＩＣカードであるのか否かが検知されることを特徴とする請求項１または２記載のカードリーダ。
【請求項４】
前記切欠きは、前記カードの移動方向における前記静電容量センサの全域に形成され、
前記カードの幅方向における前記切欠きの幅は、前記カードの幅方向における前記外部接続端子の幅以上となっていることを特徴とする請求項１または２記載のカードリーダ。
【請求項５】
前記切欠きは、前記外部接続端子が形成された前記カードが手動で前記カード移動路の奥端部まで挿入された状態で前記カードの厚さ方向から見たときに前記外部接続端子が配置される位置に形成されるとともに、前記カードの厚さ方向において前記静電容量センサを貫通する穴であり、
前記カードの移動方向における前記静電容量センサの幅は、前記カードの移動方向における前記外部接続端子の幅よりも広くなっており、
前記カードの幅方向における前記切欠きの幅は、前記カードの幅方向における前記外部接続端子の幅以上となっており、
前記カードの移動方向における前記切欠きの幅は、前記カードの移動方向における前記外部接続端子の幅以上となっており、
前記カード移動路の奥端部まで前記カードが挿入されたときの前記静電容量センサの出力に基づいて、前記挿入口から挿入された前記カードが非接触式のＩＣカードであるのか否かが検知されることを特徴とする請求項１記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードに記録されたデータの読取りやカードへのデータの記録を行うカードリーダが知られている（たとえば、特許文献１参照）。特許文献１に記載のカードリーダでは、カードの挿入口が形成されるカード挿入部に、挿入口から挿入されたカードに磁気ストライプが形成されているのか否かを検知するためのプリヘッドと、挿入口から挿入されたカードにＩＣチップの外部接続端子が形成されているのか否かを検知するための金属センサとが配置されている。
【０００３】
また、従来、非接触式のＩＣカードと非接触でデータの通信を行う非接触式通信モジュールが知られている（たとえば、特許文献２参照）。特許文献２に記載の非接触式通信モジュールは、環状に配置されるアンテナコイルによって構成されるアンテナを備えており、非接触式通信モジュールのアンテナと、カードに内蔵される通信用のアンテナとの間でデータの通信が行われる。
【先行技術文献】
【特許文献】
【０００４】
【特許文献１】特開２０１０−１６０６６６号公報
【特許文献２】特開２０１５−８７８８８号公報
【発明の概要】
【発明が解決しようとする課題】
【０００５】
特許文献１に記載のカードリーダでは、カード挿入部にプリヘッドと金属センサとが配置されているため、挿入口から挿入されたカードが磁気ストライプを有する磁気カードであるのか否かを検知することが可能になるとともに、挿入口から挿入されたカードがＩＣチップの外部接続端子を有する接触式のＩＣカードであるのか否か検知することが可能になっている。一方で、特許文献１に記載のカードリーダでは、挿入口から挿入されたカードが通信用のアンテナを有する非接触式のＩＣカードであるのか否か検知することはできない。
【０００６】
特許文献１に記載のカードリーダが特許文献２に記載の非接触式通信モジュールを備えていれば、挿入口から挿入されたカードをカードリーダの内部に取り込んだ後、カードと非接触式通信モジュールとの間でデータの通信を試みることで、挿入口から挿入されたカードが非接触式のＩＣカードであるのか否か検知することは可能である。しかしながら、特許文献１に記載のカードリーダが特許文献２に記載の非接触式通信モジュールを備えていても、挿入口から挿入されたカードをカードリーダの内部に取り込んだ後、カードと非接触式通信モジュールとの間でデータの通信を試みなければ、挿入口から挿入されたカードが非接触式のＩＣカードであるのか否か検知することはできない。
【０００７】
そこで、本発明の課題は、カードの挿入口から挿入されたカードが非接触式のＩＣカードであるのか否かを容易に検知することが可能なカードリーダを提供することにある。
【課題を解決するための手段】
【０００８】
上記の課題を解決するため、本発明のカードリーダは、一方の面にＩＣチップの外部接続端子が形成されるカードを取込可能なカードリーダにおいて、カードの挿入口から挿入されたカードが移動するカード移動路と、挿入口から挿入されたカードが通信用のアンテナが内蔵される非接触式のＩＣカードであるのか否かを検知するためのシート状の静電容量センサとを備え、カード移動路を移動するカードの移動方向とカードの厚さ方向とに直交する方向をカードの幅方向とし、カードの厚さ方向から見たときに外部接続端子が移動する領域を端子移動領域とすると、カードの幅方向における静電容量センサの幅は、カードの幅方向における外部接続端子の幅よりも広くなっており、カードの厚さ方向から見たときに、静電容量センサの、端子移動領域と重なる部分の少なくとも一部に切欠きが形成されていることを特徴とする。
【０００９】
本発明のカードリーダは、カードの挿入口から挿入されたカードが非接触式のＩＣカードであるのか否かを検知するためのシート状の静電容量センサを備えている。そのため、本発明では、挿入口から挿入されたカードが非接触式のＩＣカードであるのか否かを容易に検知することが可能になる。
【００１０】
ここで、挿入口から挿入されたカードが通信用のアンテナを有する非接触式のＩＣカードであるのか否かを精度良く検知するためには、カードの幅方向における静電容量センサの幅が広くなっていることが好ましい。一方で、ＩＣチップの外部接続端子と通信用のアンテナとを備えるＩＣカードと、外部接続端子は備えているが通信用のアンテナは備えていないＩＣカードとが挿入口から挿入される場合、カードの幅方向における静電容量センサの幅が広くなっていると、外部接続端子の影響で、外部接続端子と通信用のアンテナとを備えるＩＣカードを検知したときの静電容量センサの出力と、外部接続端子は備えているが通信用のアンテナは備えていないＩＣカードを検知したときの静電容量センサの出力との差異が生じにくいことが本願発明者の検討によって明らかになった。
【００１１】
本発明のカードリーダでは、カードの厚さ方向から見たときにＩＣチップの外部接続端子が移動する領域を端子移動領域とすると、カードの厚さ方向から見たときに、静電容量センサの、端子移動領域と重なる部分の少なくとも一部に切欠きが形成されている。そのため、本発明では、カードの幅方向における静電容量センサの幅が広くなっていても、静電容量センサの出力に外部接続端子が与える影響を抑制することが可能になり、その結果、外部接続端子と通信用のアンテナとを備えるＩＣカードを検知したときの静電容量センサの出力と、外部接続端子は備えているが通信用のアンテナは備えていないＩＣカードを検知したときの静電容量センサの出力との差異を大きくすることが可能になる。したがって、本発明では、外部接続端子付のＩＣカードが挿入口から挿入されても、挿入口から挿入されたカードがアンテナが内蔵される非接触式のＩＣカードであるのか否かを精度良く検知することが可能になる。
【００１２】
本発明において、カードリーダは、カード移動路を閉鎖するためのシャッタ部材と、シャッタ部材がカード移動路を閉鎖する閉位置とシャッタ部材がカード移動路から退避してカード移動路を開放する開位置との間でシャッタ部材を移動させるシャッタ駆動機構とを備え、静電容量センサは、シャッタ部材よりも挿入口側に配置され、カードリーダの制御部は、静電容量センサの検知結果に基づいてシャッタ駆動機構を制御することが好ましい。このように構成すると、静電容量センサの検知結果に基づいて、カードリーダに取り込んでも良いカードが挿入口から挿入されたと判別されたときに、閉位置にあるシャッタ部材を開位置に移動させ、カードリーダに取り込むべきでないカード等が挿入口から挿入されたと判別されたときに、シャッタ部材を閉位置に留めておくことが可能になる。
【００１３】
本発明において、カードリーダは、たとえば、カード移動路の所定の位置にカードが到達したことを検知するためのカード検知機構を備え、切欠きは、外部接続端子が形成されたカードがカード検知機構で検知されるタイミングでカードの厚さ方向から見たときに外部接続端子が配置される位置に形成されるとともに、カードの厚さ方向において静電容量センサを貫通する穴であり、カードの移動方向における静電容量センサの幅は、カードの移動方向における外部接続端子の幅よりも広くなっており、カードの幅方向における切欠きの幅は、カードの幅方向における外部接続端子の幅以上となっており、カードの移動方向における切欠きの幅は、カードの移動方向における外部接続端子の幅以上となっており、カード検知機構でカードが検知されたときの静電容量センサの出力に基づいて、挿入口から挿入されたカードが非接触式のＩＣカードであるのか否かが検知される。
【００１４】
この場合には、カードの挿入口から挿入されたカードが非接触式のＩＣカードであるのか否かを静電容量センサで検知する際に、静電容量センサの出力に外部接続端子が与える影響を効果的に抑制することが可能になる。したがって、外部接続端子と通信用のアンテナとを備えるＩＣカードを検知したときの静電容量センサの出力と、外部接続端子は備えているが通信用のアンテナは備えていないＩＣカードを検知したときの静電容量センサの出力との差異をより大きくすることが可能になり、その結果、挿入口から挿入されたカードが非接触式のＩＣカードであるのか否かをより精度良く検知することが可能になる。
【００１５】
本発明において、切欠きは、カードの移動方向における静電容量センサの全域に形成され、カードの幅方向における切欠きの幅は、カードの幅方向における外部接続端子の幅以上となっていても良い。この場合には、静電容量センサの出力に外部接続端子が与える影響を効果的に抑制することが可能になるため、外部接続端子と通信用のアンテナとを備えるＩＣカードを検知したときの静電容量センサの出力と、外部接続端子は備えているが通信用のアンテナは備えていないＩＣカードを検知したときの静電容量センサの出力との差異をより大きくすることが可能になり、その結果、挿入口から挿入されたカードが非接触式のＩＣカードであるのか否かをより精度良く検知することが可能になる。
【００１６】
本発明において、切欠きは、外部接続端子が形成されたカードが手動でカード移動路の奥端部まで挿入された状態でカードの厚さ方向から見たときに外部接続端子が配置される位置に形成されるとともに、カードの厚さ方向において静電容量センサを貫通する穴であり、カードの移動方向における静電容量センサの幅は、カードの移動方向における外部接続端子の幅よりも広くなっており、カードの幅方向における切欠きの幅は、カードの幅方向における外部接続端子の幅以上となっており、カードの移動方向における切欠きの幅は、カードの移動方向における外部接続端子の幅以上となっており、カード移動路の奥端部までカードが挿入されたときの静電容量センサの出力に基づいて、挿入口から挿入されたカードが非接触式のＩＣカードであるのか否かが検知されても良い。
【００１７】
この場合にも、カードの挿入口から挿入されたカードが非接触式のＩＣカードであるのか否かを静電容量センサで検知する際に、静電容量センサの出力に外部接続端子が与える影響を効果的に抑制することが可能になるため、外部接続端子と通信用のアンテナとを備えるＩＣカードを検知したときの静電容量センサの出力と、外部接続端子は備えているが通信用のアンテナは備えていないＩＣカードを検知したときの静電容量センサの出力との差異をより大きくすることが可能になり、その結果、挿入口から挿入されたカードが非接触式のＩＣカードであるのか否かをより精度良く検知することが可能になる。
【発明の効果】
【００１８】
以上のように、本発明のカードリーダでは、カードの挿入口から挿入されたカードが非接触式のＩＣカードであるのか否かを容易に検知することが可能になる。
【図面の簡単な説明】
【００１９】
【図１】本発明の実施の形態にかかるカードリーダの概略構成を説明するための図であり、（Ａ）は平面図、（Ｂ）は側面図である。
【図２】図１に示す静電容量センサに形成される切欠きの位置を説明するための平面図である。
【図３】本発明の他の実施の形態にかかる静電容量センサの構成を説明するための平面図である。
【図４】本発明の他の実施の形態にかかるカードリーダの概略構成を説明するための図であり、（Ａ）は平面図、（Ｂ）は側面図である。
【発明を実施するための形態】
【００２０】
以下、図面を参照しながら、本発明の実施の形態を説明する。
【００２１】
（カードリーダの構成）
図１は、本発明の実施の形態にかかるカードリーダ１の概略構成を説明するための図であり、（Ａ）は平面図、（Ｂ）は側面図である。図２は、図１に示す静電容量センサ２０に形成される切欠き２０ａの位置を説明するための平面図である。
【００２２】
本形態のカードリーダ１は、カード２に記録されたデータの読取りやカード２へのデータの記録の少なくともいずれか一方を行うための装置であり、たとえば、ＡＴＭ（Ａｕｔｏｍａｔｅｄ  Ｔｅｌｌｅｒ  Ｍａｃｈｉｎｅ）等の上位装置に搭載されて使用される。カードリーダ１で使用されるカード２は、厚さが０．７〜０．８ｍｍ程度の長方形状の塩化ビニール製のカードである。また、カード２は、国際規格およびＪＩＳ規格に準拠するカードである。
【００２３】
カード２には、たとえば、磁気データが記録される磁気ストライプ２ａが形成されている。磁気ストライプ２ａは、カード２の裏面に形成されている。また、カード２には、たとえば、ＩＣチップが内蔵されており、カード２のおもて面には、ＩＣチップの外部接続端子２ｂが形成されている。また、カード２には、たとえば、ＩＣチップと通信用のアンテナ２ｃとが内蔵されている。本形態のカードリーダ１では、磁気ストライプ２ａ、外部接続端子２ｂおよびアンテナ２ｃの少なくともいずれか１つを有するカード２が使用される。また、カードリーダ１には、外部接続端子２ｂが形成されるカード２が取込可能となっている。
【００２４】
カードリーダ１は、カード２の挿入口３が形成されるカード挿入部４と、カード挿入部４が固定される本体部５とを備えている。カード２は、挿入口３に挿入されるとともに、挿入口３から排出される。カードリーダ１の内部には、挿入口３から挿入されたカード２が移動するカード移動路６が形成されている。また、カードリーダ１の内部には、カード２を搬送するための複数のローラ対７が配置されており、カード移動路６では、挿入口３から挿入されたカード２が搬送される。ローラ対７は、モータに連結される駆動ローラと、駆動ローラに対向配置されるとともに駆動ローラに向かって付勢されるパッドローラとから構成されている。なお、図１（Ｂ）では、ローラ対７の図示を省略している。
【００２５】
本形態では、図１等に示すＸ方向でカード２が搬送されて移動する。すなわち、Ｘ方向は、カード移動路６を移動するカード２の移動方向である。また、本形態では、Ｘ１方向にカード２が挿入され、Ｘ２方向にカード２が排出される。また、Ｘ方向に直交する図１等のＺ方向は、カード移動路６を移動するカード２の厚さ方向であり、Ｘ方向とＺ方向とに直交する図１等のＹ方向は、カード移動路６を移動するカード２の幅方向である。
【００２６】
以下の説明では、Ｘ方向を前後方向とし、Ｙ方向を左右方向とし、Ｚ方向を上下方向とする。また、前後方向のうちのＸ１方向側を「奥（後ろ）」側とし、その反対側であるＸ２方向側を「前」側とする。カード挿入部４は、本体部５の前端面に取り付けられている。また、本形態では、長方形状に形成されるカード２の長手方向と前後方向とが一致するように、カード２が挿入口３から挿入されてカード移動路６を移動する。
【００２７】
また、カードリーダ１は、磁気ストライプ２ａに記録された磁気データの読取および磁気ストライプ２ａへの磁気データの記録の少なくともいずれか一方を行う磁気ヘッド８と、外部接続端子２ｂに接触してデータの通信を行うための複数のＩＣ接点バネ９を有するＩＣ接点ブロック１０と、ＩＣ接点ブロック１０を移動させるブロック移動機構（図示省略）と、アンテナ２ｃとの間でデータの通信を行うためのアンテナが実装された回路基板１１とを備えている。なお、図１（Ａ）、図２では、ＩＣ接点ブロック１０および回路基板１１の図示を省略している。
【００２８】
さらに、カードリーダ１は、カード移動路６を閉鎖するためのシャッタ部材１４と、シャッタ部材１４がカード移動路６を閉鎖する閉位置１４Ａ（図１（Ｂ）参照）とシャッタ部材１４がカード移動路６から退避してカード移動路６を開放する開位置１４Ｂ（図１（Ｂ）参照）との間でシャッタ部材１４を移動させるシャッタ駆動機構１５と、カード移動路６の所定の位置にカード２が到達したことを検知するためのカード検知機構１６とを備えている。なお、図１（Ｂ）では、カード検知機構１６の図示を省略している。
【００２９】
また、カードリーダ１は、挿入口３から挿入されたカード２が磁気ストライプ２ａが形成される磁気カードであるのか否かを検知するための（すなわち、磁気ストライプ２ａの有無を検知するための）プリヘッド（磁気ヘッド）１８と、挿入口３から挿入されたカード２が外部接続端子２ｂが形成される接触式のＩＣカードであるのか否かを検知するための（すなわち、外部接続端子２ｂの有無を検知するための）金属センサ１９と、挿入口３から挿入されたカード２がアンテナ２ｃが内蔵される非接触式のＩＣカードであるのか否かを検知するための（すなわち、アンテナ２ｃ等の有無を検知するための）静電容量センサ２０とを備えている。なお、図２では、プリヘッド１８および金属センサ１９の図示を省略している。
【００３０】
磁気ヘッド８、ＩＣ接点ブロック１０および回路基板１１は、本体部５に配置されている。シャッタ部材１４は、カード挿入部４の奥端部に配置されている。シャッタ駆動機構１５は、カード挿入部４に配置されている。挿入口３にカード２が挿入される前の待機時には、シャッタ部材１４は、閉位置１４Ａに配置されている。後述のように、プリヘッド１８、金属センサ１９および静電容量センサ２０の検知結果に基づいて、挿入口３から挿入されたカード２が磁気ストライプ２ａ、外部接続端子２ｂおよびアンテナ２ｃの少なくともいずれか１つを有することが検知されると、閉位置１４Ａにあるシャッタ部材１４が開位置１４Ｂに移動する。
【００３１】
カード検知機構１６は、カード挿入部４の奥端部に配置されている。また、カード検知機構１６は、シャッタ部材１４よりも前側に配置されている。カード検知機構１６は、たとえば、発光素子と受光素子とを有する透過型の光学式センサである。カード検知機構１６の発光素子とカード検知機構１６の受光素子とは、上下方向でカード移動路６を挟むように配置されている。
【００３２】
プリヘッド１８、金属センサ１９および静電容量センサ２０は、カード挿入部４に配置されている。また、プリヘッド１８、金属センサ１９および静電容量センサ２０は、シャッタ部材１４よりも前側に配置されている。すなわち、プリヘッド１８、金属センサ１９および静電容量センサ２０は、シャッタ部材１４よりも挿入口３側に配置されている。
【００３３】
静電容量センサ２０は、薄膜状のセンサであり、静電容量の変化に応じて変動する信号を出力する。静電容量センサ２０は、長方形状の薄板状（シート状）に形成されている。また、静電容量センサ２０は、静電容量センサ２０の厚さ方向と上下方向とが一致するように配置されている。静電容量センサ２０の左右方向の幅（具体的には、静電容量センサ２０の検知部の左右方向の幅）は、外部接続端子２ｂの左右方向の幅（カード２の短手方向の幅）よりも広くなっている。静電容量センサ２０の前後方向の幅（具体的には、静電容量センサ２０の検知部の前後方向の幅）は、外部接続端子２ｂの前後方向の幅（カード２の長手方向の幅）よりも広くなっている。
【００３４】
静電容量センサ２０には、上下方向で静電容量センサ２０を貫通する切欠き２０ａが形成されている。切欠き２０ａは、長方形状または正方形状の貫通穴である。切欠き２０ａの左右方向の幅は、外部接続端子２ｂの左右方向の幅以上となっている。切欠き２０ａの前後方向の幅は、外部接続端子２ｂの前後方向の幅以上となっている。切欠き２０ａは、左右方向において、外部接続端子２ｂが移動する位置に形成されている。すなわち、上下方向から見たときに外部接続端子２ｂが移動する領域を端子移動領域ＭＡとすると（図１（Ａ）参照）、上下方向から見たときに、静電容量センサ２０の、端子移動領域ＭＡと重なる部分の一部に切欠き２０ａが形成されている。左右方向において、端子移動領域ＭＡの中心と切欠き２０ａの中心とは一致している。
【００３５】
また、図２に示すように、切欠き２０ａは、外部接続端子２ｂが形成されたカード２がカード検知機構１６で検知されるタイミングで上下方向から見たときに外部接続端子２ｂが配置される位置に形成されている。具体的には、切欠き２０ａは、外部接続端子２ｂが形成されたカード２の先端（奥端）がカード検知機構１６で検知されるタイミングで上下方向から見たときに外部接続端子２ｂが配置される位置に形成されている。
【００３６】
外部接続端子２ｂが形成されたカード２の先端がカード検知機構１６で検知されるタイミングで上下方向から見たときには、切欠き２０ａの中に外部接続端子２ｂが配置されている。本形態では、カード２の先端がカード検知機構１６で検知されたときの静電容量センサ２０の出力に基づいて、挿入口３から挿入されたカード２がアンテナ２ｃが内蔵される非接触式のＩＣカードであるのか否かが検知される。
【００３７】
カードリーダ１では、カードリーダ１の制御部２３は、プリヘッド１８の検知結果および金属センサ１９の検知結果に基づいてシャッタ駆動機構１５を制御する。また、制御部２３は、静電容量センサ２０の検知結果に基づいてシャッタ駆動機構１５を制御する。具体的には、制御部２３は、カード２の先端がカード検知機構１６で検知されたときの静電容量センサ２０の検知結果に基づいてシャッタ駆動機構１５を制御する。
【００３８】
すなわち、プリヘッド１８、金属センサ１９および静電容量センサ２０の検知結果に基づいて、挿入口３から挿入されたカード２が磁気ストライプ２ａ、外部接続端子２ｂおよびアンテナ２ｃの少なくともいずれか１つを有することが検知されると、制御部２３は、シャッタ駆動機構１５を起動して、閉位置１４Ａにあるシャッタ部材１４を開位置１４Ｂに移動させる。また、制御部２３は、ローラ対７を起動して、本体部５の中にカード２を搬送する。
【００３９】
一方、プリヘッド１８、金属センサ１９および静電容量センサ２０の検知結果に基づいて、挿入口３から挿入されたカード２が磁気ストライプ２ａ、外部接続端子２ｂおよびアンテナ２ｃのいずれをも有していないことが検知されると、制御部２３は、シャッタ駆動機構１５を起動させずに、閉位置１４Ａにあるシャッタ部材１４をそのままの状態に維持する。
【００４０】
また、プリヘッド１８、金属センサ１９および静電容量センサ２０の検知結果に基づいて、挿入口３から挿入されたカード２が磁気ストライプ２ａ、外部接続端子２ｂおよびアンテナ２ｃの少なくともいずれか１つを有することが検知されると、制御部２３は、プリヘッド１８、金属センサ１９および静電容量センサ２０の検知結果に基づいて、本体部５において各種の処理を実行する。
【００４１】
たとえば、挿入口３から挿入されたカード２が磁気ストライプ２ａを有する磁気カードであることが検知されると、磁気ヘッド８で磁気データの読取りや記録を行う。また、たとえば、挿入口３から挿入されたカード２が外部接続端子２ｂを有する接触式のＩＣカードであることが検知されると、ＩＣ接点バネ９を用いてデータの通信を行う。また、たとえば、挿入口３から挿入されたカード２がアンテナ２ｃを有する非接触式のＩＣカードであることが検知されると、回路基板１１に実装されるアンテナを用いてデータの通信を行う。
【００４２】
（本形態の主な効果）
以上説明したように、本形態のカードリーダ１は、挿入口３から挿入されたカード２が非接触式のＩＣカードであるのか否かを検知するための静電容量センサ２０を備えている。そのため、本形態では、挿入口３から挿入されたカード２が非接触式のＩＣカードであるのか否かを容易に検知することが可能になる。
【００４３】
本形態では、上下方向から見たときに、静電容量センサ２０の、端子移動領域ＭＡと重なる部分の一部に切欠き２０ａが形成されている。したがって、本形態では、挿入口３から挿入されたカード２が非接触式のＩＣカードであるのか否かを精度良く検知するために静電容量センサ２０の左右方向の幅が外部接続端子２ｂの左右方向の幅より広くなっていても、静電容量センサ２０の出力に外部接続端子２ｂが与える影響を抑制することが可能になる。
【００４４】
そのため、本形態では、静電容量センサ２０の左右方向の幅が外部接続端子２ｂの左右方向の幅より広くなっていても、外部接続端子２ｂとアンテナ２ｃとを備えるＩＣカードを検知したときの静電容量センサ２０の出力と、外部接続端子２ｂは備えているがアンテナ２ｃは備えていないＩＣカードを検知したときの静電容量センサ２０の出力との差異を大きくすることが可能になる。したがって、本形態では、外部接続端子２ｂが付いたＩＣカードが挿入口３から挿入されても、挿入口３から挿入されたカード２がアンテナ２ｃが内蔵される非接触式のＩＣカードであるのか否かを精度良く検知することが可能になる。
【００４５】
特に本形態では、切欠き２０ａの左右方向の幅が外部接続端子２ｂの左右方向の幅以上となっており、切欠き２０ａの前後方向の幅が外部接続端子２ｂの前後方向の幅以上となっている。また、本形態では、カード２の先端がカード検知機構１６で検知されたときの静電容量センサ２０の出力に基づいて、挿入口３から挿入されたカード２が非接触式のＩＣカードであるのか否かが検知されているとともに、外部接続端子２ｂが形成されたカード２の先端がカード検知機構１６で検知されるタイミングで上下方向から見たときに、切欠き２０ａの中に外部接続端子２ｂが配置されている。
【００４６】
そのため、本形態では、挿入口３から挿入されたカード２が非接触式のＩＣカードであるのか否かを検知する際に、静電容量センサ２０の出力に外部接続端子２ｂが与える影響を効果的に抑制することが可能になる。したがって、本形態では、挿入口３から挿入されたカード２が非接触式のＩＣカードであるのか否かを検知する際に、外部接続端子２ｂとアンテナ２ｃとを備えるＩＣカードを検知したときの静電容量センサ２０の出力と、外部接続端子２ｂは備えているがアンテナ２ｃは備えていないＩＣカードを検知したときの静電容量センサ２０の出力との差異をより大きくすることが可能になる。その結果、本形態では、挿入口３から挿入されたカード２が非接触式のＩＣカードであるのか否かをより精度良く検知することが可能になる。
【００４７】
本形態では、制御部２３は、プリヘッド１８の検知結果、金属センサ１９の検知結果および静電容量センサ２０の検知結果に基づいてシャッタ駆動機構１５を制御している。そのため、本形態では、カードリーダ１に取り込んでも良いカード２が挿入口３から挿入されたと判別されたときに、閉位置１４Ａにあるシャッタ部材１４を開位置１４Ｂに移動させ、カードリーダ１に取り込むべきでないカード２等が挿入口３から挿入されたと判別されたときに、シャッタ部材１４を閉位置１４Ａに留めることが可能になる。
【００４８】
また、本形態のカードリーダ１は、静電容量センサ２０を備えているため、アンテナ２ｃは備えているが磁気ストライプ２ａおよび外部接続端子２ｂを備えていないカード２が挿入口３から挿入されたときに、静電容量センサ２０の検知結果に基づいて、閉位置１４Ａにあるシャッタ部材１４を開位置１４Ｂに移動させることが可能になる。
【００４９】
（静電容量センサの変形例）
図３は、本発明の他の実施の形態にかかる静電容量センサ２０の構成を説明するための平面図である。なお、図３では、上述した形態と同一の構成には、同一の符号を付している。
【００５０】
上述した形態において、切欠き２０ａは、図３に示すように、前後方向における静電容量センサ２０の全域に形成されるとともに、切欠き２０ａの左右方向の幅が外部接続端子２ｂの左右方向の幅以上となっていても良い。すなわち、上下方向から見たときに、静電容量センサ２０の、端子移動領域ＭＡと重なる部分の全体に切欠き２０ａが形成されていても良い。この場合には、カードリーダ１は、たとえば、カード検知機構１６を備えていない。また、この場合には、カード２が静電容量センサ２０を通過するときの静電容量センサ２０の出力に基づいて、挿入口３から挿入されたカード２が非接触式のＩＣカードであるのか否かが検知される。
【００５１】
この場合であっても、挿入口３から挿入されたカード２が非接触式のＩＣカードであるのか否かを検知する際に、静電容量センサ２０の出力に外部接続端子２ｂが与える影響を効果的に抑制することが可能になるため、外部接続端子２ｂとアンテナ２ｃとを備えるＩＣカードを検知したときの静電容量センサ２０の出力と、外部接続端子２ｂは備えているがアンテナ２ｃは備えていないＩＣカードを検知したときの静電容量センサ２０の出力との差異をより大きくすることが可能になる。その結果、挿入口３から挿入されたカード２が非接触式のＩＣカードであるのか否かをより精度良く検知することが可能になる。
【００５２】
（カードリーダの変形例）
図４は、本発明の他の実施の形態にかかるカードリーダ１の概略構成を説明するための図であり、（Ａ）は平面図、（Ｂ）は側面図である。なお、図４では、上述した形態と同一の構成には、同一の符号を付している。
【００５３】
上述した形態において、カードリーダ１は、手動式のカードリーダであっても良い。たとえば、カードリーダ１は、カードリーダ１へのカード２の差込みとカードリーダ１からのカード２の引抜きとをユーザが手動で行ういわゆるディップ式のカードリーダであっても良い。この場合には、たとえば、図４に示すように、静電容量センサ２０の切欠き２０ａは、外部接続端子２ｂが形成されたカード２が手動でカード移動路６の奥端部まで挿入された状態で上下方向から見たときに外部接続端子２ｂが配置される位置に形成されている。
【００５４】
すなわち、上下方向から見たときに、静電容量センサ２０の、端子移動領域ＭＡと重なる部分の一部に切欠き２０ａが形成されている。また、この場合には、上述した形態と同様に、切欠き２０ａの左右方向の幅は、外部接続端子２ｂの左右方向の幅以上となっており、切欠き２０ａの前後方向の幅は、外部接続端子２ｂの前後方向の幅以上となっており、左右方向において、端子移動領域ＭＡの中心と切欠き２０ａの中心とは一致している。また、この場合には、カード移動路６の奥端部までカード２が挿入されたときの静電容量センサ２０の出力に基づいて、挿入口３から挿入されたカード２が非接触式のＩＣカードであるのか否かが検知される。
【００５５】
この場合であっても、挿入口３から挿入されたカード２が非接触式のＩＣカードであるのか否かを検知する際に、静電容量センサ２０の出力に外部接続端子２ｂが与える影響を効果的に抑制することが可能になり、その結果、挿入口３から挿入されたカード２が非接触式のＩＣカードであるのか否かを検知する際に、外部接続端子２ｂとアンテナ２ｃとを備えるＩＣカードを検知したときの静電容量センサ２０の出力と、外部接続端子２ｂは備えているがアンテナ２ｃは備えていないＩＣカードを検知したときの静電容量センサ２０の出力との差異をより大きくすることが可能になる。したがって、挿入口３から挿入されたカード２が非接触式のＩＣカードであるのか否かをより精度良く検知することが可能になる。なお、図４では、回路基板１１の図示を省略している。
【００５６】
（他の実施の形態）
上述した形態は、本発明の好適な形態の一例ではあるが、これに限定されるものではなく本発明の要旨を変更しない範囲において種々変形実施が可能である。
【００５７】
上述した形態において、カードリーダ１は、磁気ヘッド８およびプリヘッド１８を備えていなくても良い。この場合には、金属センサ１９および静電容量センサ２０の検知結果に基づいて、挿入口３から挿入されたカード２が外部接続端子２ｂおよびアンテナ２ｃの少なくともいずれか一方を有することが検知されると、閉位置１４Ａにあるシャッタ部材１４が開位置１４Ｂに移動する。
【００５８】
また、上述した形態において、カードリーダ１は、ＩＣ接点ブロック１０および金属センサ１９を備えていなくても良い。この場合には、プリヘッド１８および静電容量センサ２０の検知結果に基づいて、挿入口３から挿入されたカード２が磁気ストライプ２ａおよびアンテナ２ｃの少なくともいずれか一方を有することが検知されると、閉位置１４Ａにあるシャッタ部材１４が開位置１４Ｂに移動する。
【００５９】
さらに、上述した形態において、カードリーダ１は、磁気ヘッド８、ＩＣ接点ブロック１０、プリヘッド１８および金属センサ１９を備えていなくても良い。この場合には、静電容量センサ２０の検知結果に基づいて、挿入口３から挿入されたカード２がアンテナ２ｃを有することが検知されると、閉位置１４Ａにあるシャッタ部材１４が開位置１４Ｂに移動する。
【００６０】
上述した形態において、外部接続端子２ｂが形成されたカード２の先端がカード検知機構１６で検知されるタイミングで上下方向から見たときに、切欠き２０ａの中から外部接続端子２ｂの一部が外れていても良い。また、上述した形態において、切欠き２０ａの左右方向の幅は、外部接続端子２ｂの左右方向の幅より狭くなっていても良い。また、切欠き２０ａの前後方向の幅は、外部接続端子２ｂの前後方向の幅より狭くなっていても良い。また、上述した形態において、静電容量センサ２０は、本体部５に配置されていても良い。
【符号の説明】
【００６１】
１  カードリーダ
２  カード
２ｂ  外部接続端子
２ｃ  アンテナ
３  挿入口
６  カード移動路
１４  シャッタ部材
１４Ａ  閉位置
１４Ｂ  開位置
１５  シャッタ駆動機構
１６  カード検知機構
２０  静電容量センサ
２０ａ  切欠き
２３  制御部
ＭＡ  端子移動領域
Ｘ  カードの移動方向
Ｙ  カードの幅方向
Ｚ  カードの厚さ方向
【図１】
2020013442.tif 000003
【図２】
2020013442.tif 000004
【図３】
2020013442.tif 000005
【図４】
2020013442.tif 000006